(57)【特許請求の範囲】
【請求項１】
中央に軸孔がその周囲に複数の磁石挿入孔が形成された積層鉄心本体の前記磁石挿入孔にそれぞれ永久磁石を入れて樹脂封止を行う回転子積層鉄心の製造方法であって、
前記積層鉄心本体を搬送トレイに位置決めして載せる第１工程と、
前記磁石挿入孔にそれぞれ前記永久磁石が挿入された前記積層鉄心本体を前記搬送トレイに載せた状態で、該搬送トレイを下型に位置決め配置し、上型及び前記下型で前記搬送トレイに載った前記積層鉄心本体を型締めする第２工程と、
前記下型に設けられた樹脂溜めポットから樹脂を押し出して、前記搬送トレイに形成された樹脂流路を介して前記積層鉄心本体の対応する前記各磁石挿入孔に樹脂を充填する第３工程とを有し、更に、
前記上型又は前記下型に設けられた支持部材によって、前記永久磁石が樹脂封止された積層鉄心本体を前記搬送トレイと共に、前記下型から分離して引き上げる第４工程を有することを特徴とする回転子積層鉄心の製造方法。
【請求項２】
請求項１記載の回転子積層鉄心の製造方法において、前記樹脂流路は底部開放であって、前記樹脂溜めポットから押し出された樹脂を下から受け入れ、前記樹脂流路の領域で底部から上部に貫通して形成されたゲートから前記磁石挿入孔に、樹脂を充填することを特徴とする回転子積層鉄心の製造方法。
【請求項３】
請求項２記載の回転子積層鉄心の製造方法において、前記樹脂流路の周壁は外側に開いて該樹脂流路が下方に開くテーパー状となっていることを特徴とする回転子積層鉄心の製造方法。
【請求項４】
請求項３記載の回転子積層鉄心の製造方法において、前記樹脂流路の上部には前記ゲート以外に貫通孔が形成され、前記積層鉄心本体に樹脂封止後、前記搬送トレイに残った樹脂を、前記貫通孔を挿通するピンによって抜き落とすことを特徴とする回転子積層鉄心の製造方法。
【請求項５】
請求項１〜４のいずれか１記載の回転子積層鉄心の製造方法において、前記搬送トレイは平面視して矩形であって、前記支持部材は前記上型に設けられ、しかも該上型の両側に、前記積層鉄心本体が載置された前記搬送トレイを位置決めして仮置きする対となった前記支持部材が設けられていることを特徴とする回転子積層鉄心の製造方法。
【請求項６】
請求項１〜５のいずれか１記載の回転子積層鉄心の製造方法において、前記下型に設けられた前記樹脂溜めポットは複数あって、一つの前記樹脂溜めポットから前記樹脂流路を介して１又は２以上の前記磁石挿入孔に樹脂が充填されることを特徴とする回転子積層鉄心の製造方法。
【請求項７】
請求項１〜６のいずれか１記載の回転子積層鉄心の製造方法において、前記積層鉄心本体と前記搬送トレイとの位置決めは、前記搬送トレイから上に突出する少なくとも２本の第１の位置決めピンと、前記積層鉄心本体を上下に貫通して形成された抜き孔を介して行うことを特徴とする回転子積層鉄心の製造方法。
【請求項８】
請求項１〜７のいずれか１記載の回転子積層鉄心の製造方法において、前記搬送トレイと前記下型との位置決めは、前記下型に形成され上に突出する少なくとも２本の第２の位置決めピンと、前記搬送トレイに設けられた前記第２の位置決めピンが嵌入する位置決め孔とによって行われることを特徴とする回転子積層鉄心の製造方法。
【請求項９】
請求項１〜８のいずれか１記載の回転子積層鉄心の製造方法において、前記搬送トレイには、樹脂封止時に前記磁石挿入孔内の空気を外部に逃がすベント溝が形成されていることを特徴とする回転子積層鉄心の製造方法。
【請求項１０】
請求項１〜９のいずれか１記載の回転子積層鉄心の製造方法において、前記搬送トレイは前記回転子積層鉄心の軸孔に嵌入する軸を備えていることを特徴とする回転子積層鉄心の製造方法。
【発明の詳細な説明】
【技術分野】
【０００１】
本発明は、複数の鉄心片を積層して形成され、中央に軸孔を備えた積層鉄心本体の磁石挿入孔に永久磁石を樹脂封止する回転子積層鉄心の製造方法に関する。
【背景技術】
【０００２】
従来、モータに使用する回転子積層鉄心（ロータコアともいう）は、複数の鉄心片を積層し、中央の軸孔（シャフト孔ともいう）の周囲に形成された複数の磁石挿入孔に永久磁石を挿入した後、樹脂を注入して硬化させることにより製造している。
この樹脂の注入は、例えば、特許文献１に示すように、永久磁石挿入後の回転子積層鉄心を、下型と上型を有する金型で挟み込み、この上型に設けられた樹脂溜めポットから、プランジャを押し下げることにより行っている。ところが、永久磁石の上方から各磁石挿入孔内に樹脂を注入する場合には、以下のような問題があった。
【０００３】
回転子積層鉄心の高さは、永久磁石の高さより高いため、回転子積層鉄心の上面と永久磁石の上面との間には、僅かな段差（０．５〜１ｍｍ程度）が生じる。このため、磁石挿入孔内に注入される樹脂は、この段差部を介してあらゆる方向に流れ、断面積の大きな流路（隙間）から優先して注入されてしまうため、各磁石挿入孔内の永久磁石の姿勢を、樹脂の流れで制御（狙った流路、例えば、永久磁石の半径方向内側の流路に流すことにより、永久磁石を外周側に固定）できなくなる。その結果、永久磁石の配置位置が各磁石挿入孔内でばらつき（例えば、内寄り、外寄り、傾きなど）、モータ運転時の損失や騒音、更には振動が増加することになっていた。
【０００４】
また、特許文献２には、図１０の（Ａ）〜（Ｋ）の工程を有する回転子積層鉄心の製造方法が開示されている。即ち、搬送トレイ８０に積層鉄心本体８１をセットする（Ａ）工程、積層鉄心本体８１を搬送トレイ８０ごと傾けて、積層鉄心本体８１の各磁石挿入孔に永久磁石８２を挿入する（Ｂ）工程、搬送トレイ８０を水平にした後、カルプレート８３を積層鉄心本体８１の上にセットする（Ｃ）工程、搬送トレイ８０とカルプレート８３を積層鉄心本体８１に当接した状態でこれらを反転する（Ｄ）工程、搬送トレイ８０とカルプレート８３が取付けられた積層鉄心本体８１を下型８４に載置する（Ｅ）工程、並びに上型８５と下型８４でカルプレート８３に乗って更に搬送トレイ８０が被さった積層鉄心本体８１を挟持し、積層鉄心本体８１の磁石挿入孔に下型８４から樹脂を注入する（Ｆ）工程を有している。
【０００５】
そして、更に、上型８５と下型８４から、樹脂封止され下にはカルプレート８３が上には搬送トレイ８０が載った積層鉄心本体８１を取り出す（Ｇ）、（Ｈ）工程とを有し、（Ｈ）工程でカルプレート８３の底部には樹脂溜めポットに残って硬化した樹脂が付着している。次に、（Ｉ）工程で積層鉄心本体８１を反転し、積層鉄心本体８１の上部にあるカルプレート８３を引き剥がす（Ｊ）工程、及びカルプレート８３を再利用するため、カルプレート８３に付着した樹脂をピン８６を用いて除去する（Ｋ）工程を経て、樹脂封止された回転子積層鉄心が製造される。なお、カルプレート８３には樹脂溜めポットから積層鉄心本体８１の磁石挿入孔に樹脂をガイドする樹脂流路及び磁石挿入孔への樹脂の挿入口となるゲートを有する。
【０００６】
このように、下型８４から樹脂を注入することで、永久磁石の底面をカルプレート８３に密着させることができるので、樹脂を注入する際に、永久磁石８２が磁石挿入孔内で内側に寄ったり、外側に寄ったり、傾いたりすることがなく、上型から樹脂を注入する工法に比べ、騒音、損失、更には振動を軽減した回転子積層鉄心を製造できるというメリットがある。
【先行技術文献】
【特許文献】
【０００７】
【特許文献１】特開２００７−３３６７１８号公報
【特許文献２】特開２０１１−５５６８７号公報
【発明の概要】
【発明が解決しようとする課題】
【０００８】
しかしながら、下型から樹脂を積層鉄心本体の磁石挿入孔に注入する特許文献２記載の技術は、搬送トレイに載置された積層鉄心本体を、モールド樹脂注入前の金型配置時と、モールド注入後の金型取り出し時に、１８０度反転する必要があり、積層鉄心本体と搬送トレイとをこのような状態で反転するのは、作業が煩雑であった。
更に、カルプレートで積層鉄心本体の磁石挿入孔に挿入された永久磁石の落下を保持しているので、反転作業時にカルプレートと搬送トレイで挟持した積層鉄心本体を保持しなければならない。
【０００９】
この反転作業中に、搬送トレイが落下した場合、作業者が怪我をする恐れがあり、また、積層鉄心本体を破損させてしまう場合がある。ここで、搬送トレイとカルプレートをボルト等で固定して反転することも可能であるが、作業性が悪くなることは必須であり、製造設備が複雑、高価になり、製造コストの上昇を招いてしまう。
【００１０】
また、カルプレートを使用することで、積層鉄心本体（回転子積層鉄心）に直接樹脂カス（カル）は残らないが、積層鉄心本体にカルプレートを取付ける工程が増え、更に、回転子積層鉄心の磁石挿入孔の樹脂封止が完了しても、カルプレートを積層鉄心本体から除去する工程と、カルプレートを再利用する場合は、カルプレートに付着している樹脂カスを除去する工程が増え、作業効率が低下してしまう。
【００１１】
本発明はかかる事情に鑑みてなされたもので、搬送トレイを上下反転させる必要がなく、作業効率も格段に向上した回転子積層鉄心の製造方法を提供することを目的とする。
【課題を解決するための手段】
【００１２】
前記目的に沿う第１の発明に係る回転子積層鉄心の製造方法は、中央に軸孔がその周囲に複数の磁石挿入孔が形成された積層鉄心本体の前記磁石挿入孔にそれぞれ永久磁石を入れて樹脂封止を行う回転子積層鉄心の製造方法であって、
前記積層鉄心本体を搬送トレイに位置決めして載せる第１工程と、
前記磁石挿入孔にそれぞれ前記永久磁石が挿入された前記積層鉄心本体を前記搬送トレイに載せた状態で、該搬送トレイを下型に位置決め配置し、上型及び前記下型で前記搬送トレイに載った前記積層鉄心本体を型締めする第２工程と、
前記下型に設けられた樹脂溜めポットから樹脂を押し出して、前記搬送トレイに形成された樹脂流路を介して前記積層鉄心本体の対応する前記各磁石挿入孔に樹脂を充填する第３工程とを有し、更に、
前記上型又は前記下型に設けられた支持部材によって、前記永久磁石が樹脂封止された積層鉄心本体を前記搬送トレイと共に、前記下型から分離して引き上げる第４工程を有する。
【００１３】
第２の発明に係る回転子積層鉄心の製造方法は、第１の発明に係る回転子積層鉄心の製造方法において、前記樹脂流路は底部開放であって、前記樹脂溜めポットから押し出された樹脂を下から受け入れ、前記樹脂流路の領域で底部から上部に貫通して形成されたゲートから、例えば前記磁石挿入孔の半径方向内側領域に樹脂を充填する。この場合、平面視してゲートの一部と磁石挿入孔の一部がラップすることになる。
【００１４】
第３の発明に係る回転子積層鉄心の製造方法は、第２の発明に係る回転子積層鉄心の製造方法において、前記樹脂流路の周壁は外側に開いて該樹脂流路が下方に開くテーパー状となっている。
【００１５】
第４の発明に係る回転子積層鉄心の製造方法は、第３の発明に係る回転子積層鉄心の製造方法において、前記樹脂流路の上部には前記ゲート以外に貫通孔が形成され、前記積層鉄心本体に樹脂封止後、前記搬送トレイに残った樹脂を、前記貫通孔を挿通するピンによって抜き落とす。
【００１６】
第５の発明に係る回転子積層鉄心の製造方法は、第１〜第４の発明に係る回転子積層鉄心の製造方法において、前記搬送トレイは平面視して矩形であって、前記上型の両側に、前記積層鉄心本体が載置された前記搬送トレイを位置決めして仮置きする対となった前記支持部材が設けられている。
【００１７】
第６の発明に係る回転子積層鉄心の製造方法は、第１〜第５の発明に係る回転子積層鉄心の製造方法において、前記下型に設けられた前記樹脂溜めポットは複数あって、一つの前記樹脂溜めポットから前記樹脂流路を介して１又は２以上の前記磁石挿入孔に樹脂が充填される。
【００１８】
第７の発明に係る回転子積層鉄心の製造方法は、第１〜第６の発明に係る回転子積層鉄心の製造方法において、前記積層鉄心本体と前記搬送トレイとの位置決めは、前記搬送トレイから上に突出する少なくとも２本の第１の位置決めピンと、前記積層鉄心本体を上下に貫通して形成された抜き孔を介して行う。
【００１９】
第８の発明に係る回転子積層鉄心の製造方法は、第１〜第７の発明に係る回転子積層鉄心の製造方法において、前記搬送トレイと前記下型との位置決めは、前記下型に形成され上に突出する少なくとも２本の第２の位置決めピンと、前記搬送トレイに設けられた前記第２の位置決めピンが嵌入する位置決め孔とによって行われる。
【００２０】
第９の発明に係る回転子積層鉄心の製造方法は、第１〜第８の発明に係る回転子積層鉄心の製造方法において、前記搬送トレイには、樹脂封止時に前記磁石挿入孔内の空気を外部に逃がすベント溝が形成されている。なお、ベント溝の深さは、封止する樹脂に混入しているフィラーの粒度より小さい。
また、以上の発明に係る回転子積層鉄心の製造方法において、前記搬送トレイの中央に回転子積層鉄心の軸孔に挿通する軸を有しているのが好ましいが、この軸は必須の要件ではない。
【発明の効果】
【００２１】
第１〜第１０の発明に係る回転子積層鉄心の製造方法は、従来のように、搬送トレイを上下反転する必要がなくなり、搬送トレイ反転用の設備を設ける必要がなく、作業性が向上し、製造コストも削減される。
また、搬送トレイがカルプレートを兼用するので別途カルプレートを用意する必要がない。
【００２２】
そして、搬送トレイに、下型に形成された樹脂溜めポットから対応する積層鉄心本体の磁石挿入孔に樹脂を導く樹脂流路を備えているので、搬送トレイから直接樹脂を磁石挿入孔に注入することができる。
【００２３】
特に、第２の発明に係る回転子積層鉄心の製造方法においては、樹脂流路は底部開放であって、樹脂溜めポットからの樹脂を下から受け入れ、樹脂流路の領域で底部から上部に貫通して形成されたゲートから磁石挿入孔に、樹脂を充填するので、磁石挿入孔と永久磁石の隙間領域に対してまず最初に樹脂を充填することができ、挿入された永久磁石を磁石挿入孔の半径方向外側又は半径方向内側に保持して樹脂注入が可能となる。
【００２４】
第３、第４の発明に係る回転子積層鉄心の製造方法においては、樹脂流路の周壁は外側に開いて樹脂流路が下方に開くテーパー状となっているので、硬化した樹脂が下方に抜けやすい。従って、樹脂流路の上部にゲート以外の貫通孔を形成して、積層鉄心本体に樹脂封止後、搬送トレイに残った樹脂を、貫通孔を挿通するピンによって抜き落とすことができる。
【００２５】
そして、第５の発明に係る回転子積層鉄心の製造方法においては、搬送トレイは平面視して矩形（例えば、正方形）であって、上型の両側（例えば、下部）に、積層鉄心本体が載置された搬送トレイを位置決めして仮置きする対となった支持部材が設けられているので、この支持部材に搬送トレイを仮置きし、搬送トレイの下型への載置及び取り出しを行うことができる。
【図面の簡単な説明】
【００２６】
【図１】（Ａ）〜（Ｈ）は本発明の一実施の形態に係る回転子積層鉄心の製造方法の説明図である。
【図２】同回転子積層鉄心の製造方法の途中工程を示す正面図である。
【図３】搬送トレイに載った回転子積層鉄心を示す平面図である。
【図４】（Ａ）、（Ｂ）は同搬送トレイの正面図、及び平面図である。
【図５】同搬送トレイの平面図である。
【図６】（Ａ）、（Ｂ）はそれぞれ回転子積層鉄心の製造方法の一工程の説明図である。
【図７】（Ａ）、（Ｂ）はそれぞれ回転子積層鉄心の製造方法の一工程の説明図である。
【図８】（Ａ）、（Ｂ）はそれぞれ搬送トレイに形成されている樹脂流路（ランナー）の説明図である。
【図９】（Ａ）、（Ｂ）はそれぞれ搬送トレイに形成されている樹脂流路（ランナー）の変形例の説明図である。
【図１０】（Ａ）〜（Ｋ）は従来例に係る回転子積層鉄心の製造方法の各工程の説明図である。
【発明を実施するための形態】
【００２７】
続いて、添付した図面を参照しながら、本発明を具体化した実施の形態について説明する。
まず、図１（Ａ）、図２、図３に示すように、磁性材料からなる薄板条材をプレス加工した鉄心片をかしめ積層して、中央に軸孔１０が、周囲に複数対となる磁石挿入孔１１、１２が、軸孔１０と磁石挿入孔１１、１２の間に重量軽減用の複数の抜き孔１３が形成された積層鉄心本体１４を製造する。
【００２８】
なお、それぞれ積層鉄心本体１４を上下に貫通する複数対となる磁石挿入孔１１、１２、及び複数の抜き孔１３は、それぞれ軸孔１０を中心にして軸対称に形成されている。また、磁石挿入孔１１、１２には樹脂封止前に永久磁石１５が挿入されている（図６、図７参照）。
【００２９】
図１〜図３、図４（Ａ）に示すように、この積層鉄心本体１４を搬送トレイ１６に載せる。搬送トレイ１６は載置台１７とその中央に立設する軸１８とを有し、軸１８に軸孔１０を嵌入させることによって、搬送トレイ１６に対する積層鉄心本体１４の置く位置が決定する。そして、載置台１７には、載置台１７から上方に突出する２本の第１の位置決めピン１９、２０が設けられ、載置される積層鉄心本体１４の抜き孔１３に接するようになっている。なお、この実施の形態では搬送トレイの中央に軸を備えているが、省略される場合もあり、この場合は、載置台と搬送トレイが同一となる場合もある。
【００３０】
これによって、角部に面取り２１がなされた平面視して正方形の載置台１７を有する搬送トレイ１６の所定位置に所定角度で積層鉄心本体１４を載置できる。なお、軸１８の長さは積層鉄心本体１４の高さより高く（約５〜２０％）、軸１８及び第１の位置決めピン１９、２０の先部には面取りがなされて、容易に軸孔１０及び抜き孔１３に嵌入できるようになっている。なお、軸１８の突出長さは、積層鉄心本体１４の高さより低く形成してもよく、この場合、後述する上型２９に形成されるガイド穴３０をガイド突起に変更すればよい。
【００３１】
図３に示すように、載置台１７の対角位置には、位置決め孔２３、２４が形成され、図２に示すように、この位置決め孔２３、２４に嵌入する第２の位置決めピン２５、２６が下型２８の上に突出して設けられている。なお、上型２９には、軸１８の上側部が嵌入するガイド穴３０が形成され、更に、上型２９の両側には、積層鉄心本体１４が載置された搬送トレイ１６を位置決めして仮置きする対となる支持部材３２、３３が設けられている。
【００３２】
この支持部材３２、３３は正面視してＬ字状となって、下側に内側に水平に伸びる掛止部３４、３５を有し、搬送トレイ１６の載置台１７の両側が、一方（即ち、正面側から背面側）に向かって、スライド装着できる構造となっている。なお、掛止部３４、３５の背面側には図示しないストッパーがそれぞれ設けられて、載置台１７の両側後端部がストッパーに当接した位置で、搬送トレイ１６が上型２９の中心位置に納まる（即ち、位置決めされる）ようになっている。
【００３３】
図２に示すように、掛止部３４、３５の上面と上型２９との隙間（即ち、距離）ｃは、載置台１７の厚みｔと軸１８の高さ（ｈ＋ａ）を加えた長さより、僅少の範囲、例えば、（０．１〜３％）×（ｔ＋ｈ＋ａ）で大きくなって、積層鉄心本体１４を搬送トレイ１６に載せた状態で、水平方向から差し込むことができるようになっている。なお、ここで、ｈは積層鉄心本体１４の高さ、ａは積層鉄心本体１４の上端から突出する軸１８の長さをいう。上型２９の中央に設けられているガイド穴３０の深さｂは、積層鉄心本体１４の上端より突出する軸１８の長さａより大きくなっている。
【００３４】
一方、下型２８の上側両端部には、切欠き３７、３８が設けられ、支持部材３２、３３の下端が下型２８に当接しない構造となっている。なお、図３〜図５に示すように、載置台１７には貫通孔３９、４０が設けられ、図示しない搬送治具が掛止できるようになっている。
【００３５】
搬送トレイ１６を構成する載置台１７には、図６（Ａ）、（Ｂ）に示すように、下型２８に形成されている断面円形の各樹脂溜めポット４２から積層鉄心本体１４の磁石挿入孔１１、１２に樹脂を導く樹脂流路４３が形成されている。この実施の形態では、樹脂溜めポット４２は８つあって、それぞれ２つの磁石挿入孔１１、１２に樹脂流路４３、及び樹脂流路４３領域の上部（即ち、載置台１７の上表面側）に底部（即ち、載置台１７の下表面側）から上部に貫通して形成されたゲート４４、４５を介して樹脂を充填する構造となっている。
【００３６】
載置台１７に形成されている樹脂流路４３について、図５、図８（Ａ）、（Ｂ）を参照しながら詳細に説明すると、下型２８に形成されている断面円形の樹脂溜めポット４２の直上に樹脂流路４３が形成されている。この樹脂流路４３は、樹脂溜めポット４２からの樹脂を２つに分岐し、両端部に設けられたゲート４４、４５から樹脂を分流して、対となる磁石挿入孔１１、１２に充填するようになっている。
【００３７】
ゲート４４、４５は図４（Ｂ）に示すように、平面視して各磁石挿入孔１１、１２の中央で、積層鉄心本体１４の半径方向内側の一部にラップし、磁石挿入孔１１、１２の内側から半径方向内側領域に樹脂を充填し、磁石挿入孔１１、１２に挿入されている永久磁石１５を半径方向外側に押しつけるようにしている。また、ゲート４４、４５を磁石挿入孔１１、１２の半径方向外側の一部にラップさせ、永久磁石１５を半径方向内側に押しつけることもできる。
【００３８】
この樹脂流路４３は載置台１７の下側に開口して形成され（底部開放）、その周壁は下側（即ち、外側）に開いて傾斜するテーパー状となっている。これによって、硬化した樹脂を抜く場合に、載置台１７から容易に除去される。
なお、載置台１７の上面には、樹脂封止時に磁石挿入孔１１、１２から余分な空気を外部に導くベント溝１７ａが積層鉄心本体１４の外周より外側まで延長して形成されている。このベント溝１７ａの深さは、封止樹脂に含まれるフィラーの粒径より小さいのが好ましい。また、このベント溝１７ａは省略することもできる。
【００３９】
続いて、図１（Ａ）〜（Ｈ）及びその他の図面を参照しながら、本発明の一実施の形態に係る回転子積層鉄心の製造方法について詳細に説明する。
図１（Ａ）に示すように、鉄心片をかしめ積層した積層鉄心本体１４を製造し、これを搬送トレイ１６に載せる。この場合、積層鉄心本体１４の軸孔１０及び抜き孔１３と、搬送トレイ１６の軸１８及び第１の位置決めピン１９、２０とをそれぞれ嵌合させて、積層鉄心本体１４を搬送トレイ１６の所定位置に取付ける（図３参照）。なお、搬送トレイ１６を金型装置に配置して、鉄心片を金型装置内で順次積層してもよい。
【００４０】
次に、図１（Ｂ）に示すように、積層鉄心本体１４の各磁石挿入孔１１、１２内に永久磁石（未磁化）１５を入れる。この場合、積層鉄心本体１４を横に傾けて永久磁石１５を入れてもよい。そして、図６（Ａ）に示すように、搬送トレイ１６に載った積層鉄心本体１４を上型２９の支持部材３２、３３の掛止部３４、３５の上に載せる（図２も参照）。
【００４１】
この後、図１（Ｃ）、図２に示すように、上型２９を下げて、搬送トレイ１６を下型２８の上に載せる。このとき、下型２８の上に突出配置された第２の位置決めピン２５、２６が載置台１７に形成されている位置決め孔２３、２４に嵌入して、下型２８に対する搬送トレイ１６の位置が決まる。
【００４２】
そして、図１（Ｄ）、図６（Ｂ）に示すように、上型２９を下降させて、積層鉄心本体１４を上型２９と下型２８が型締めする。これによって、磁石挿入孔１１、１２の上部は上型２９によって閉塞され、更に、軸１８の先部がガイド穴３０に嵌入する。磁石挿入孔１１、１２の下部は載置台１７と当接し、ゲート４４、４５の一部が磁石挿入孔１１、１２の下部に連通する（図４（Ｂ）参照）。このとき、上型２９に樹脂封止時の磁石挿入孔１１、１２内の空気を抜くベント溝を形成してもよく、ベント溝を形成したプレートを積層鉄心本体１４と上型２９の間に配置してもよい。
【００４３】
この状態で、図７（Ａ）に示すように、樹脂溜めポット４２内で加熱されて溶融した樹脂をプランジャ４７を上昇させて押し出し、樹脂流路（ランナー）４３からゲート４４、４５を介して磁石挿入孔１１、１２内に充填する。これによって、永久磁石１５は磁石挿入孔１１、１２内の半径方向外側に押しつけられた状態で、樹脂封止される。
【００４４】
樹脂（熱硬化性樹脂）が硬化した後、図１（Ｅ）、図７（Ｂ）に示すように、上型２９を上昇させる。これによって樹脂溜めポット４２に残っていて硬化した樹脂、及び樹脂流路４３に残って硬化した樹脂は、搬送トレイ１６に付着した状態で、搬送トレイ１６、永久磁石１５が樹脂封止された積層鉄心本体１４と共に引き上げられる。
【００４５】
次に、図１（Ｆ）に示すように、上型２９に設けられている支持部材３２、３３から搬送トレイ１６及びこれに載った積層鉄心本体１４を外し、更に、図１（Ｇ）に示すように積層鉄心本体１４を搬送トレイ１６から外せば、回転子積層鉄心４８となる。この場合、ゲート４４、４５と磁石挿入孔１１、１２の連結部は断面が小さいので、容易に分離する。
【００４６】
そして、搬送トレイ１６を繰り返し使用する場合は、図１（Ｈ）に示すように、ゲート孔４４、４５内に治具（ピン）４９を挿通して、不要な樹脂（カル）を除去する。この場合、樹脂流路４３は下方に開くテーパー状となっているので、樹脂の剥離が容易である。なお、図９（Ａ）、（Ｂ）に示すように、樹脂流路４３の中央部分でその上部に貫通孔５０、５１を設け、ゲート孔４４、４５を挿通する治具（ピン）４９に加えて、別に設けられたピン治具によっても、樹脂流路４３内の樹脂を落とすようにすることで、硬化した樹脂を折ることもなく確実に一体形状で落とすことができる。
【００４７】
本発明は前記した実施の形態に限定されるものではなく、本発明の要旨を変更しない範囲でその構成を変更することもできる。例えば、前記実施の形態においては、上型を昇降したが、下型を昇降することもできる。また、搬送トレイの支持部材は、下型に設けてもよい。また、支持部材を設けずに、手動で積層鉄心本体を下型へ取付け又は取外しを行ってもよい。
【００４８】
更に、前記実施の形態では、熱硬化性樹脂を、永久磁石を固定する樹脂として使用したが、その他の樹脂（例えば、熱可塑性の樹脂）であってもよい。
なお、以上の実施の形態において、搬送トレイの載置台に回転子積層鉄心を軸心を合わせて載せているが、搬送トレイの軸を無くして載置台に直接、回転子積層鉄心を載せることもできる。この場合、別の位置決め手段（例えば、ピン、凹凸）等で回転子積層鉄心を載置台に正確に位置決めすることは必要である。
【符号の説明】
【００４９】
１０：軸孔、１１、１２：磁石挿入孔、１３：抜き孔、１４：積層鉄心本体、１５：永久磁石、１６：搬送トレイ、１７：載置台、１７ａ：ベント溝、１８：軸、１９、２０：第１の位置決めピン、２１：面取り、２３、２４：位置決め孔、２５、２６：第２の位置決めピン、２８：下型、２９：上型、３０：ガイド穴、３２、３３：支持部材、３４、３５：掛止部、３７、３８：切欠き、３９、４０：貫通孔、４２：樹脂溜めポット、４３：樹脂流路、４４、４５：ゲート、４７：プランジャ、４８：回転子積層鉄心、４９：治具、５０、５１：貫通孔
【図１】
0005855515.tif 000002
【図２】
0005855515.tif 000003
【図３】
0005855515.tif 000004
【図４】
0005855515.tif 000005
【図５】
0005855515.tif 000006
【図６】
0005855515.tif 000007
【図７】
0005855515.tif 000008
【図８】
0005855515.tif 000009
【図９】
0005855515.tif 000010
【図１０】
0005855515.tif 000011